(57)【要約】      （修正有）【課題】広告内容が昼夜切り替え、多くの使用希望者が安い費用で効率よく昼夜の広告を利用できるようにする。【解決手段】屋外に設けられる広告用看板装置であって、互いに重ねられて平行な基板と面板からなり、基板の表面には一様に複数の電子式の発光素子を配置し、これら発光素子に通電する制御装置を設ける。面板の面には文字や絵を描くとともに複数の発光素子に対応する位置に貫通穴を形成し、基板に面板を固定する。昼間には面板表面に描かれた文字や絵の静態広告とし、夜間には制御装置により所定位置にある発光素子に通電して発光させ、これら発光素子の光が貫通穴を通して外方に放射して別の広告として表現させる。【選択図】図１
0003114499.tif 000002
【実用新案登録請求の範囲】
【請求項１】
屋外に設けられ所定面積を有する太陽光線で視認される広告用看板装置であって、互いに重ねられて平行な基板と面板からなり、基板の表面には一様に複数の電子式の発光素子を配置し、これら発光素子に通電する制御装置を設け、前記面板表面には文字や絵を描くとともに、前記複数の発光素子に対応する位置に貫通穴を形成し、前記基板に前記面板を固定し、昼間には前記面板表面に描かれた文字や絵の静態広告とし、夜間には前記制御装置により所定位置にある発光素子に通電して発光させ、これら発光素子の光が前記貫通穴を通して外方に放射して別の広告として表現させるようにした看板装置において、
前記基板上に一様に配置された複数の発光素子を互いに独立に電子制御可能な複数の領域に分割し、前記制御装置はこれら分割された複数の領域の発光素子に対してそれぞれ独立に通電を行うようにし、前記面版を互いに分離可能な複数の小面版に分割して構成し、それぞれ互いに異なる広告の文字や絵を描いたこれら複数の小面版を前記基板に対して個々に取り付け・取り外し可能に固定し、
夜間には前記制御装置により前記複数の領域の発光素子を電子制御して全面１枚または個別の小型複数の電子看板による広告とし、昼間には前記複数の小面版を互いに異なる個々の静態広告として表現させるようにしたことを特徴とする看板装置。
【請求項２】
前記分離可能な複数の小面版とそれぞれ対応する別の複数の小面版に、それぞれ互いに異なる広告の文字や絵を描き、前記複数の小面版の何れかを前記基板から取り外し、これと交換して前記別の複数の小面版の何れかを前記基板に取り付けて昼間には別の静態広告として表現させるようにしたことを特徴とする看板装置。
【請求項３】
屋外に設けられ所定面積を有する太陽光線で視認される広告用看板装置であって、互いに重ねられて平行な基板と透明な面板からなり、基板の表面には一様に複数の電子式の発光素子を配置し、これら発光素子に通電する制御装置を設け、前記透明な面板表面には文字や絵を描いて遮光部を形成し、前記複数の発光素子に対応する位置に文字や絵を描くことなく透光部を形成し、前記基板に前記透明な面板を固定し、昼間には前記透明な面板表面に描かれた文字や絵の静態広告とし、夜間には前記制御装置により所定位置にある発光素子に通電して発光させ、これら発光素子の光が前記透光部を通して外方に放射して別の広告として表現させるようにした看板装置において、
前記基板上に一様に配置された複数の発光素子を互いに独立に電子制御可能な複数の領域に分割し、前記制御装置はこれら分割された複数の領域の発光素子に対してそれぞれ独立に通電を行うようにし、前記透明な面版を互いに分離可能な複数の透明な小面版に分割して構成し、それぞれ互いに異なる広告の文字や絵を描いたこれら複数の透明な小面版を前記基板に対して個々に取り付け・取り外し可能に固定し、
夜間には前記制御装置により前記複数の領域の発光素子を電子制御して全面１枚または個別の小型複数の電子看板による広告とし、昼間には前記複数の透明な小面版を互いに異なる個々の静態広告として表現させるようにしたことを特徴とする看板装置。
【請求項４】
前記分離可能な複数の透明な小面版とそれぞれ対応する別の複数の透明な小面版に、それぞれ互いに異なる広告の文字や絵を描き、前記複数の透明な小面版の何れかを前記基板から取り外し、これと交換して前記別の複数の透明な小面版の何れかを前記基板に取り付けて昼間には別の静態広告として表現させるようにしたことを特徴とする看板装置。
【考案の詳細な説明】
【技術分野】
【０００１】  この考案は、電子表示装置を利用した看板装置に関し、特に、昼夜で表示を変更することができる看板装置に関する。
【背景技術】
【０００２】  現在、大型建造物や主要道路の信号地点や交差点付近には、各種大型の広告用電子式及  び色彩画による描き看板が設けられている。
現在使用されている電子看板では、大型基板の正面に、複数の発光素子（ＬＥＤ）が配設されている。各発光素子の位置は定義されており、ＰＣなどの制御回路の制御を受けて導通されて発光し、これにより必要な文字及び又は絵を表示させている。しかし、このような電子看板の発光素子３は、昼間の太陽光下では電子看板の発光素子の発射する光線が陽光に消され、表示効果が不十分であった。【０００３】  また、大型の電子看板では資金力のある有力企業が１枚の看板全面を貸し切り又は所有し、資金力の無い中小企業では借りたくても所有したくても予算の制限により利用できない欠点があった。
また色彩画による大小の描き看板や帆布式広告看板があり、更に透光・透明板に文字や絵を描き夜間にはその背後に設けた照明を点灯して広告を浮き上がらせるものがあった。
これらは文字及び又は絵がペンキ塗りや印刷物のため固定されているので、日毎に変わる季節的な大売出しなどに利用するには変更にコストがかかり不便性があった。更に夜間において広告するには多数の電気抵抗線を利用した白熱電灯やネオン管の電気照明を必要とし電力費用が高く付く欠点があった。【０００４】  また、多面体から構成した例えば回転可能な広告面が三面ある回動看板もあり、正面に向かって第１面を回転させると、第１の静態文字及び又は絵が出現し、第２、第３面に回転させると、第２或いは第３の静態文字及び又は絵がそれぞれ出現する。それは表示する文字及び又は絵を切り替えて表示できるが、季節的な大売出しなどリアルタイムでの変更は不可能であった。また同様に多数の照明を行う必要があった。
更に、韓国や台湾には大型基板の正面に描き看板を重ねた夜・昼切り替え方式の２重看板が知られている。大型基板の正面に配設されている複数の発光素子（ＬＥＤ）のそれぞれに重なるように描き看板には無数の穴が空けられている。昼間遠くから見るとこれら穴は殆ど見えなくなり、描き看板の広告が観測される。一方暗くなった夜間には発光素子の発射する光線による広告が明るく観測される。従来の技術に関する文献には特開２００２−５５６３６がある。
【考案の開示】
【考案が解決しようとする課題】
【０００５】  従来の大規模の屋外看板では、季節的又は臨時の大売出しなどで広告主の要求する即変更可能なリアルタイムでの広告が出来ない不便があった。また大型の電子看板では資金力のある有力企業が貸し切り、資金力の無い中小企業では借りたくても予算の制限により利用できない欠点があった。
面板の描き看板の広告である静態文字及び又は絵では、夜間照明が必要で、電力費用だけが嵩み、また長期間同じ広告を出して消費者に飽きられる欠点があった。【０００６】  一方大型の電子看板では、昼間は消えた発光素子群が白日に晒されて元気のない広告になってしまうものであった。
この考案は、広告内容が昼夜切り替えられるようにし、また、夜間用の大型の電子看板を電子制御的に複数に分割し、更に昼用の大型描き看板を複数の画面に分割して、多くの使用希望者が安い費用で効率よく昼夜の広告に参加できるようにした看板装置を提供することを目的とする。【０００７】  本考案の別の目的は、複数に分割された夜間用の大型の電子看板を、電子制御によりリアルタイムの通告板とにし、且つ必要に応じて大型単一の電子看板から小型複数の電子看板に区分可能とし、随時小型複数の電子看板上の文字及び又は絵を変更できるようにした看板装置とするものである。
また更に昼用の大型単一の描き看板を小型複数の描き看板に区分可能とし、小型複数の描き看板では個々の画面を独立に交換することにより比較的短期間に文字及び又は絵を交換できるようにした看板装置とするものである。
【課題を解決するための手段】
【０００８】  請求項１の考案は、屋外に設けられ所定面積を有する太陽光線で視認される広告用看板装置であって、互いに重ねられて平行な基板と面板からなり、基板の表面には一様に複数の電子式の発光素子を配置し、これら発光素子に通電する制御装置を設け、前記面板表面には文字や絵を描くとともに、前記複数の発光素子に対応する位置に貫通穴を形成し、前記基板に前記面板を固定し、昼間には前記面板表面に描かれた文字や絵の静態広告とし、夜間には前記制御装置により所定位置にある発光素子に通電して発光させ、これら発光素子の光が前記貫通穴を通して外方に放射して別の広告として表現させるようにした看板装置において、前記基板上に一様に配置された複数の発光素子を互いに独立に電子制御可能な複数の領域に分割し、前記制御装置はこれら分割された複数の領域の発光素子に対してそれぞれ独立に通電を行うようにし、前記面版を互いに分離可能な複数の小面版に分割して構成し、それぞれ互いに異なる広告の文字や絵を描いたこれら複数の小面版を前記基板に対して個々に取り付け・取り外し可能に固定し、夜間には前記制御装置により前記複数の領域の発光素子を電子制御して全面１枚または個別の小型複数の電子看板による広告とし、昼間には前記複数の小面版を互いに異なる個々の静態広告として表現させるようにした。
請求項２では、前記分離可能な複数の小面版とそれぞれ対応する別の複数の小面版に、それぞれ互いに異なる広告の文字や絵を描き、前記複数の小面版の何れかを前記基板から取り外し、これと交換して前記別の複数の小面版の何れかを前記基板に取り付けて昼間には別の静態広告として表現させるようにした。【０００９】  請求項３では、屋外に設けられ所定面積を有する太陽光線で視認される広告用看板装置であって、互いに重ねられて平行な基板と透明な面板からなり、基板の表面には一様に複数の電子式の発光素子を配置し、これら発光素子に通電する制御装置を設け、前記透明な面板表面には文字や絵を描いて遮光部を形成し、前記複数の発光素子に対応する位置に文字や絵を描くことなく透光部を形成し、前記基板に前記透明な面板を固定し、昼間には前記透明な面板表面に描かれた文字や絵の静態広告とし、夜間には前記制御装置により所定位置にある発光素子に通電して発光させ、これら発光素子の光が前記透光部を通して外方に放射して別の広告として表現させるようにした看板装置において、前記基板上に一様に配置された複数の発光素子を互いに独立に電子制御可能な複数の領域に分割し、前記制御装置はこれら分割された複数の領域の発光素子に対してそれぞれ独立に通電を行うようにし、前記透明な面版を互いに分離可能な複数の透明な小面版に分割して構成し、それぞれ互いに異なる広告の文字や絵を描いたこれら複数の透明な小面版を前記基板に対して個々に取り付け・取り外し可能に固定し、夜間には前記制御装置により前記複数の領域の発光素子を電子制御して全面１枚または個別の小型複数の電子看板による広告とし、昼間には前記複数の透明な小面版を互いに異なる個々の静態広告として表現させるようにした。
請求項４では、前記分離可能な複数の透明な小面版とそれぞれ対応する別の複数の透明な小面版に、それぞれ互いに異なる広告の文字や絵を描き、前記複数の透明な小面版の何れかを前記基板から取り外し、これと交換して前記別の複数の透明な小面版の何れかを前記基板に取り付けて昼間には別の静態広告として表現させるようにした。
【考案の効果】
【００１０】  この考案は、広告内容が昼夜切り替えられるようなり、また多くの使用希望者が安い費用で効率よく昼夜の広告に参加できるようにした。
更に複数に分割された夜間用の大型の電子看板を、電子制御によりリアルタイムの通告板とにし、且つ必要に応じて大型単一の電子看板から小型複数の電子看板に区分可能とし、随時文字及び又は絵を変更できるようにした。
また更に昼用の大型単一の描き看板を小型複数の描き看板に区分可能とし、小型複数の描き看板では個々の画面を独立に交換することにより比較的短期間に文字及び又は絵を交換できるようにした。
なお更に、広告依頼者が少なくもしくはいない場合は、表面の小面版や面板を基板から外して、基板上の発光素子により、広告募集中の文字を夜間に表示し、広告の活性化を図ることもできる。
【考案を実施するための最良の形態】
【００１１】  本考案の屋外用大型看板装置５０は、図２の下方にしめされるように、基板１と面板２０とから構成され、看板装置５０はその表面が通常ほぼ垂直面になるように屋上や道路沿いの空き地など屋外に設置される。基板１は例えば広さが縦横５Ｍｘ７Ｍの面積を有し、基板１表面には多数の発光ダイオード２が一様に取り付けられている。
これら発光ダイオード２の位置は、予め決められており、一般的には縦横一列に並べて互いに一定の距離はなれて設けられている。これら発光ダイオード２は連続する領域で例えば四角領域で制御対象グループ毎に電子的に区分されている。各対象グループの発光ダイオード２は後述する制御部によりそれぞれ制御されて通電され、発光するようになっている。【００１２】  基板１の正面には図２、図３、図５に示すように、面板２０が重なる位置に取り付けられており、この面板２０の表面はペンキ３０などで文字や絵が描かており、広告看板となっているとともに、基板１と面板２０はほぼ同一面積になるように構成される。
さて、この面板２０は図２上方に示すように、複数の例えば６枚の等しい面積の小面板２１〜２６より構成され、これら小面板２１〜２６には別々の広告がペンキなどによりそれぞれ描かれている。例えば小面板２１には「ａｂｃ社」のお花、小面板２２には「いろは社」の星、小面板２３には「旅行社あいう」の飛行機、小面板２４には「車製造業社ｘｙｚ社」、小面板２５には「ファッションらりる」の傘、小面板２６には速達便サービスの「郵便カキク」の絵柄が描かれている。
図３において、基板１に重ねられる面板２０の一部である小面板２１について拡大誇張した構成を表示している、この小面板２１は図２の看板「ａｂｃ社」のお花の小面板２１に該当している。
【実施例１】
【００１３】  図５はこの図３の実施例１に於けるＡ−Ａ矢視断面図を示し、小面板２１には重ねた基板１上の複数の発光ダイオード２に対応する位置に複数の貫通穴４がそれぞれ設けられている。
従って、小面板２１の貫通穴４がちょうど発光ダイオード２に対応する位置とされ、発光ダイオード２の先端部を小面板２１より露出又は外部から見えるように構成している。夜間に点灯された発光ダイオード２の光Ｌは貫通穴４を通すて外部に放射される。
小面板２１の貫通穴４が存在しない部分にペンキや塗料３０が塗られて、図２、図３の看板「ａｂｃ社」お花の絵と文字となっている。【００１４】  ここで、貫通穴４の直径と貫通穴４の間の距離と、貫通穴４が存在しない部分に塗料３０が塗られた看板「ａｂｃ社」（お花の絵と文字）と観測者人間の視覚との関係について説明する。
人間の成人の両目間隔は平均６．５ｃｍであり、貫通穴４の互いの距離がほぼこの長さに設計されている。貫通穴４の間の距離が平均６．５ｃｍであれば、貫通穴４の直径は取り付ける発光ダイオード２の製品サイズで決定できる。輝度の高いものであれば径は小さく、輝度の低いものであれば径が大きくなる。
さて昼間に５０Ｍ以上離れた位置からこの看板を見るとこれら貫通穴４は殆ど視力認識されず、塗料３０が塗られた看板「ａｂｃ社」が明瞭に観測される。なお図３、図５ではこれら貫通穴４と発光ダイオード２を説明のため誇張した大きさで表示した。
【実施例２】
【００１５】  図６はこの図３の実施例２に於けるＡ−Ａ矢視断面図を示し、小面板２１に換えて小透明面板１１とし、透光・透明のアクリル板等から構成され、重ねた基板１上の複数の発光ダイオード２に対応する位置に複数の円形の透光・透明窓１４がそれぞれ残されている。
従って、小透明面板１１の透光・透明窓１４がちょうど発光ダイオード２に対応する位置とされ、発光ダイオード２の先端部が透光・透明窓１４を透して外部から見えるように構成している。夜間に点灯された発光ダイオード２の光Ｌは透光・透明窓１４を透して外部に放射される。
小透明面板１１の透光・透明窓１４が存在しない部分にペンキや塗料３０が塗られて、図２、図３の看板「ａｂｃ社」お花の絵と文字となっている。【００１６】  次に図３において、これら実施例１、実施例２の小面板２１や小透明面板１１を基板１に重ねて取り付ける構造を小面板２１を代表に説明する。
小面板２１の４隅には取り付け用に貫通孔５がそれぞれ形成され、これら貫通孔５にはネジ６がそれぞれ挿入される。小面板２１の貫通穴４（透光・透明窓１４）が丁度発光ダイオード２に重なる状態にした位置で、基板１には小面板２１の４隅の貫通孔５にそれぞれ対応する位置にネジ孔７が形成されている。図３では下方２隅のネジ孔７を図示したが、上方２隅のネジ孔７は小面板２１の上部により隠れるので表示していない。      しかしながら、小面板２１の右と下と右斜め下にそれぞれ隣接する右方の小面板２２と下方の小面板２４と右斜め下方の小面板２５に対応するネジ孔７については、これらの一部を表示している。
従って図２、図３において、基板１の左上に小面板２１を角が合うように重ねて、これらネジ６を基板１のネジ孔７にねじ込んで、看板「ａｂｃ社」のお花の小面板２１を基板１上に固定する。【００１７】  その他の看板、小面板２２の「いろは社」の星、小面板２３の「旅行社あいう」の飛行機、小面板２４の「車製造業社ｘｙｚ社」、小面板２５の「ファッションらりる」の傘、小面板２６の速達便サービスの「郵便カキク」でも、文字や絵柄が異なるのみで小面板２１の「ａｂｃ社」のお花とほぼ同様に構成されている。
基板１にはこれら小面板２２等の４隅の貫通孔にそれぞれ対応する位置にネジ孔が形成される、従ってこれらを纏めて基板１にネジでそれぞれ固定すると、図１の上方及び図２の中ほどに示す面板２０が完成される。これら小面板２１等の看板は、取り付け位置を自由に交換・配置できる。またネジ６の頭は６．６ｃｍより更に小さいので広告効果上で見栄えの障害にはならない。【００１８】  次に、図４で基板１上の複数の発光ダイオード２を制御する制御部４０について説明する。これら発光ダイオード２は飛び地のない連続する領域で例えば四角領域で制御対象グループ毎に電子的に区分されている。図４では基板１上の複数の発光ダイオード２を左右に２等分した制御対象グループとしている。
制御部４０は２本の制御ケーブル４１、４２を介して第１対象グループ４３、第２対象グループ４４をそれぞれ通電・発光制御する。制御部４０内では基板１上の発光ダイオード２群に対応した例えばスイッチ孔を備えた制御板を使用すると、ピンを導通孔に差し込んで通電・発光を行うことができる。差し込んだピンがドット模様となって、点灯文字などを相似的に見ることができる。
しかしながら現在のパソコン技術とソフトを制御部４０に適応すれば、発光ダイオード２群を自由に分割し、自由な文字や絵を通電・発光制御できる。また制御ケーブル４１，４２は信号を時分割することで、ケーブルを１本とすることができる。
なお、発光ダイオード２の光は単色光で説明したが、３原色の集合したものや、個々の３原色（ＲＧＢ管）を独立に別々に取り付けて天然色、カラー広告にもできる。【００１９】  図１、図５、図６において、昼夜の看板広告の動作について説明する。
図１では面板２０を小面板２１と小面板２２等の６枚で均等分している、昼間は６企業の広告としている。即ち小面板２１には「ａｂｃ社」のお花、小面板２２には「いろは社」の星、小面板２３には「旅行社あいう」の飛行機、小面板２４には「車製造業社ｘｙｚ社」、小面板２５には「ファッションらりる」の傘、小面板２６には速達便サービスの「郵便カキク」が広告される。
発光ダイオード２群を２分割して、一方夜間には郵船企業と時計販売業と左右２企業の宣伝広告としている。例えば
夜間は制御部４０により発光ダイオード２の発光順序が制御され、静態或いはこれら２社の別の動態文字及び又は絵を現出できる。
更に、例えば小面板２１と小面板２２と小面板２３とを組み合わせて同一企業の連続した文字や絵をペイントすることで、横に長い看板とすることができる。
なおまたこれらのうち例えば、小面板２１と小面板２４と小面板２２と小面板２５を組み合わせては同一企業の連続した文字や絵をペイントすることで、縦横をそれぞれ２倍にしたやや大きい看板とすることができる。また小面板２１や小面板２２や小面板２３等の面積は均等でなくてもよく、経済性や取り付け工事の便宜性に合わせて自由に設定できる、その際には貫通孔の位置とネジ孔の位置をそれぞれ合わせるようにすればよい。
【産業上の利用可能性】
【００２０】  現代人が、毎日見る広告内容が昼夜切り替えられるようなり、広告効果が向上できる。利用者側からは、多くの中小企業が安い費用で効率よく昼夜の広告に参加できるようになる。更に複数に分割された夜間用の大型の電子看板を、電子制御によりリアルタイムの通告板とにし、季節ものや旬の宣伝が簡単に瞬時に行なうことが可能で便利である。毎日のニュース版としても使用できる。
また更に昼用の大型単一の描き看板を小型複数の描き看板に区分可能としたので、小型複数の描き看板の画面を独立に随時（週単位、月単位で）交換することにより比較的短期間に文字及び又は絵を交換し、変化に対応した広告できる。
【図面の簡単な説明】
【００２１】
【図１】本考案の昼間と夜間の広告表示状態を示す図である。
【図２】本考案の看板装置の基板と面板の全体構造を示す分解図である。
【図３】本考案の看板装置の基板と面板の一部の拡大斜視図である。
【図４】通電制御装置のブロック図である。
【図５】図３のＡ−Ａ矢視縦断面図で実施例１を説明するための図である。
【図６】図３のＡ−Ａ矢視縦断面図で実施例２を説明するための図である。
【符号の説明】
【００２２】１  基板
２  発光ダイオード
３  発光素子
４  貫通孔
５  貫通孔
６  ネジ
７  ネジ孔
１１  小透明面板
１４  透光・透明窓
２０  面板
２１〜２６  小面板遮光部
３０  ペンキ
４０  表示制御部
４１、４２  制御ケーブル
４３  第１対象グループ
４４  第２対象グループ
５０  看板装置
Ｌ  光
【図１】
0003114499.tif 000003
【図２】
0003114499.tif 000004
【図３】
0003114499.tif 000005
【図４】
0003114499.tif 000006
【図５】
0003114499.tif 000007
【図６】
0003114499.tif 000008
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
屋外に設けられ所定面積を有する広告用看板装置であって、互いに重ねられて平行な基板と面板からなり、基板の表面には一様に複数の発光素子を配置し、これら発光素子に通電する制御装置を設け、前記面板表面には文字や絵を描くとともに、前記複数の発光素子に対応する位置に貫通穴を形成し、前記基板に前記面板を固定し、昼間には前記面板表面に描かれた文字や絵を太陽光線の反射で視認される静態広告とし、夜間には前記制御装置により所定位置にある発光素子に通電して発光させ、これら発光素子の光が前記貫通穴を通して外方に放射して別の広告として表現させるようにした看板装置において、
前記複数の発光素子を互いに独立に電子制御可能な複数の領域に分割し、前記制御装置はこれら分割された複数の領域の発光素子に対してそれぞれ独立に通電を行うようにし、前記面版を互いに分離可能な複数の小面版に分割して構成し、それぞれ互いに異なる広告の文字や絵を描いたこれら複数の小面版を前記基板に対して個々に取り付け・取り外し可能に固定し、
夜間には前記制御装置により前記複数の領域の発光素子を電子制御して全面１枚または個別の小型複数の電子看板による広告とし、昼間には前記面板を全面１枚または前記複数の小面版を互いに異なる個々の静態広告として表現させるようにしたことを特徴とする看板装置。
【請求項２】
前記分離可能な複数の小面版とそれぞれ対応する別の複数の小面版に、それぞれ互いに異なる広告の文字や絵を描き、前記複数の小面版の何れかを前記基板から取り外し、これと交換して前記別の複数の小面版の何れかを前記基板に取り付けて昼間には別の静態広告として表現させるようにしたことを特徴とする請求項１記載の看板装置。
【請求項３】
前記面板を透明な面板から構成し、この透明な面板表面には文字や絵を描いて遮光部を形成し、前記複数の発光素子に対応する位置に文字や絵を描くことなく透光部を形成し、昼間には前記透明な面板表面に描かれた文字や絵を静態広告とし、夜間には前記制御装置により所定位置にある発光素子に通電して発光させ、これら発光素子の光が前記透光部を通して外方に放射して別の広告として表現させるようにするとともに、
前記透明な面版を互いに分離可能な複数の透明な小面版に分割して構成し、それぞれ互いに異なる広告の文字や絵を描いたこれら複数の透明な小面版を前記基板に対して個々に取り付け・取り外し可能に固定し、
夜間には前記制御装置により前記複数の領域の発光素子を電子制御して全面１枚または個別の小型複数の電子看板による広告とし、昼間には前記透明な面板を全面１枚または前記複数の透明な小面版を互いに異なる個々の静態広告として表現させるようにしたことを特徴とする請求項１記載の看板装置。
【請求項４】
前記分離可能な複数の透明な小面版とそれぞれ対応する別の複数の透明な小面版に、それぞれ互いに異なる広告の文字や絵を描き、前記複数の透明な小面版の何れかを前記基板から取り外し、これと交換して前記別の複数の透明な小面版の何れかを前記基板に取り付けて昼間には別の静態広告として表現させるようにしたことを特徴とする請求項３記載の看板装置。